(57)【要約】      （修正有）【課題】フェライトの汎用性を向上させることができる炊飯器を提供する。【解決手段】炊飯器は、炊飯器本体１と、被炊飯物を収容する鍋２と、炊飯器本体１の内部に設けられ、鍋２を収容する保護枠３と、保護枠３の外底部に配置され、鍋２を誘導加熱する加熱コイル５と、少なくとも一部が加熱コイル５と対向すると共に保護枠３の外底部に沿って設けられたフェライトユニット９とを備える。フェライトユニット９は、棒状の第１及び第２のフェライト６，７と、第１のフェライト６の一端部と第２のフェライトの一端部とを連結保持する保持部材８とを備える。保持部材８は、第１のフェライト６と第２のフェライト７との間に位置する部分にヒンジ部を備える。【選択図】図１
2014210167.tif 000002
【特許請求の範囲】
【請求項１】
炊飯器本体と、
被炊飯物を収容する鍋と、
前記炊飯器本体の内部に設けられ、前記鍋を収容する保護枠と、
前記保護枠の外底部に配置され、前記鍋を誘導加熱する加熱コイルと、
少なくとも一部が前記加熱コイルと対向すると共に前記保護枠の外底部に沿って設けられたフェライトユニットと、
を備え、
前記フェライトユニットは、
棒状の第１及び第２のフェライトと、
前記第１のフェライトの一端部と前記第２のフェライトの一端部とを連結保持する保持部材と、
を備え、
前記保持部材は、前記第１のフェライトと前記第２のフェライトとの間に位置する部分にヒンジ部を備える、炊飯器。
【請求項２】
前記保持部材は、樹脂材料で構成されている、請求項１に記載の炊飯器。
【請求項３】
前記ヒンジ部は、前記保持部材の他の部分に比べて薄肉に形成されている、請求項２に記載の炊飯器。
【請求項４】
前記第１のフェライトの一端部及び前記第２のフェライトの一端部の一方には面取り部が形成され、
前記第１のフェライトの一端部及び前記第２のフェライトの一端部の他方の端面と、前記面取り部とが対向するように配置されている、請求項１〜３のいずれか１つに記載の炊飯器。
【請求項５】
前記加熱コイルと前記フェライトユニットとを介して前記保護枠に取り付けられる保護枠カバーを更に備える、請求項１〜４のいずれか１つに記載の炊飯器。
【請求項６】
前記保持部材は、弾性材料で構成され、前記保護枠カバーが前記保護枠に取り付けられたとき、前記フェライトユニットと前記加熱コイルとの間、及び前記フェライトユニットと前記保護枠カバーとの間に介在するように形成されている、請求項５に記載の炊飯器。
【請求項７】
前記保持部材は、前記加熱コイルに対向する面に凸部を備える、請求項６に記載の炊飯器。
【発明の詳細な説明】
【技術分野】
【０００１】
本発明は、フェライトを備える炊飯器に関する。
【背景技術】
【０００２】
従来、この種の炊飯器は、加熱コイルに高周波電流を流して高周波磁界を発生させ、当該高周波磁界により鍋の表面に渦電流を発生させ、当該渦電流によるジュール熱によって鍋を発熱させている。従来の炊飯器においては、通常、鍋を収容する保護枠の外周側面から底面にかけてフェライト（磁性体）が取り付けられている。これにより、加熱コイルに高周波電流を流したときに発生する磁力線のうち、鍋の外側に発生する磁力線をフェライトの内部に誘導し、磁力線の漏れを防止するとともに、鍋との誘導結合を高めるようにしている。
【０００３】
一方、適切に鍋を誘導加熱するためには、鍋に対する加熱コイルの距離を高周波電流の周波数や鍋の物性に合わせて調整することが重要である。このため、保護枠に沿わせるように加熱コイルを湾曲させ、当該加熱コイルに対向するように放射状に配置するとともに保護枠に沿うように、フェライトを設けている。この構成によれば、効率的な鍋の加熱ができ、炊飯性能に優れた炊飯器を提供することができる。
【０００４】
しかしながら、フェライトは、硬く脆い性質を有するため、破損を防止する必要がある。また、フェライトは、鍋を誘導加熱する際に生じる振動により、異音を発生することがある。このため、フェライトの取り付け及び保持方法については、従来からさまざまな方法が提案されている。
【０００５】
例えば、特許文献１には、棒状のフェライトを２本１組として保持部材で固定した後に保護枠に取り付ける方法が開示されている。
【０００６】
また、従来、炊飯器として、性能及び構成が同じである一方で炊飯容量が異なる、複数の製品が提供されている。これらの製品においては、通常、炊飯容量の違いによって鍋の形状が異なる。
【０００７】
このため、前記保護枠は、鍋の形状（特に底面の直径）に応じて形状が決定され、フェライトは、当該保護枠の形状に応じて最適な配置になるように、前述したような方法で保持されている。
【先行技術文献】
【特許文献】
【０００８】
【特許文献１】特開２００５−２７９６５号公報
【発明の概要】
【発明が解決しようとする課題】
【０００９】
しかしながら、特許文献１の方法では、一旦、保護枠への取付時の形状となるようにフェライトを保持部材で固定してしまうと、当該フェライトの位置や形状を自由に変更することができない。このため、例えば、炊飯容量が異なる別の製品に当該フェライトを取り付ける必要性が生じたような場合には対応できない。また、特許文献１の方法では、製品毎に、鍋の形状に適合するフェライトや保持部材が必要であり、それらを新たに作成する際に必要な金型などの作製に多大なコストを要する。すなわち、特許文献１の方法では、フェライトの汎用性が低いという課題がある。
【００１０】
従って、本発明の目的は、前記従来の課題を解決することにあって、フェライトの汎用性を向上させることができる炊飯器を提供することにある。
【課題を解決するための手段】
【００１１】
前記従来の課題を解決するために、本発明の炊飯器は、炊飯器本体と、
被炊飯物を収容する鍋と、
前記炊飯器本体の内部に設けられ、前記鍋を収容する保護枠と、
前記保護枠の外底部に配置され、前記鍋を誘導加熱する加熱コイルと、
少なくとも一部が前記加熱コイルと対向すると共に前記保護枠の外底部に沿って設けられたフェライトユニットと、
を備え、
前記フェライトユニットは、
棒状の第１及び第２のフェライトと、
前記第１のフェライトの一端部と前記第２のフェライトの一端部とを連結保持する保持部材と、
を備え、
前記保持部材は、前記第１のフェライトと前記第２のフェライトとの間に位置する部分にヒンジ部を備える、
ように構成されている。
【発明の効果】
【００１２】
本発明に係る炊飯器によれば、ヒンジ部を屈曲させることにより第１及び第２のフェライトの位置や角度を変更することができ、フェライト（フェライトユニット）の汎用性を向上させることができる。
【図面の簡単な説明】
【００１３】
【図１】本発明の第１実施形態に係る炊飯器であって、１．０リットルの炊飯容量を有する鍋を備える炊飯器を一部断面で示す側面図である。
【図２Ａ】図１の炊飯器が備えるフェライトユニットの断面図である。
【図２Ｂ】図１の炊飯器が備えるフェライトユニットの第１変形例を示す断面図である。
【図２Ｃ】図２Ａのフェライトユニットが備える第１及び第２のフェライトを同一平面上に位置するように配置した状態を示す断面図である。
【図２Ｄ】図１の炊飯器が備えるフェライトユニットの斜視図である。
【図３】１．８リットルの炊飯容量を有する鍋を備える炊飯器を一部断面で示す側面図である。
【図４】図２Ａのフェライトユニットの第２変形例を示す断面図である。
【図５】図２Ａのフェライトユニットの第３変形例を示す断面図である。
【図６】本発明の第２実施形態に係る炊飯器が備えるフェライトユニットの斜視図である。
【図７】本発明の第２実施形態に係る炊飯器の一部断面図である。
【発明を実施するための形態】
【００１４】
本発明に係る炊飯器は、炊飯器本体と、
被炊飯物を収容する鍋と、
前記炊飯器本体の内部に設けられ、前記鍋を収容する保護枠と、
前記保護枠の外底部に配置され、前記鍋を誘導加熱する加熱コイルと、
少なくとも一部が前記加熱コイルと対向すると共に前記保護枠の外底部に沿って設けられたフェライトユニットと、を備え、
前記フェライトユニットは、
棒状の第１及び第２のフェライトと、
前記第１のフェライトの一端部と前記第２のフェライトの一端部とを連結保持する保持部材と、を備え、
前記保持部材は、前記第１のフェライトと前記第２のフェライトとの間に位置する部分にヒンジ部を備える、
ように構成されている。
【００１５】
この構成によれば、ヒンジ部を屈曲させることにより第１及び第２のフェライトの位置や角度を変更することができ、フェライト（フェライトユニット）の汎用性を向上させることができる。また、第１のフェライトと第２のフェライトとが同一平面上に位置するように配置することができるので、空隙無く梱包することが可能になり、部品として収納性に優れ、輸送コストを低減することもできる。
【００１６】
なお、前記保持部材は、樹脂材料で構成されることが好ましい。この構成によれば、金属製のヒンジピンなどの他の部品を必要とすることなく、樹脂材料が有する曲げ性を利用してヒンジ部を構成することができる。従って、保持部材の構造を単純かつ簡素化することができ、保持部材を安価に製造することができる。
【００１７】
また、前記ヒンジ部は、前記保持部材の他の部分に比べて薄肉に形成されることが好ましい。この構成によれば、ヒンジ部における曲げ性を一層向上させることができる。
【００１８】
また、前記第１のフェライトの一端部及び前記第２のフェライトの一端部の一方には面取り部が形成され、前記第１のフェライトの一端部及び前記第２のフェライトの一端部の他方の端面と、前記面取り部とが対向するように配置されることが好ましい。この構成によれば、面取り部を形成したことにより、ヒンジ部で保持部材を折り曲げた際に、第１のフェライトと第２のフェライトとが干渉することを回避することができる。その結果、第１のフェライトの一端部と第２のフェライトの一端部との距離を小さくすることができる。また、第１のフェライトの一端部及び前記第２のフェライトの一端部の他方の端面と、前記面取り部とが対向するように配置することで、磁力線の漏れを効果的に防ぐことが可能となり、加熱効率の低下を抑えることができる。
【００１９】
また、前記加熱コイルと前記フェライトユニットとを介して前記保護枠に取り付けられる保護枠カバーを更に備えることが好ましい。この構成によれば、加熱コイルとフェライトユニットとが保護枠と保護枠カバーとの間で挟持されることになるので、加熱コイルとフェライトユニットとの位置関係を安定させて、炊飯器本体の外側に磁力線が漏れるのを抑えることができる。その結果、炊飯性能を安定化することができる。
【００２０】
また、前記保持部材は、弾性材料で構成され、前記保護枠カバーが前記保護枠に取り付けられたとき、前記フェライトユニットと前記加熱コイルの間、及び前記フェライトユニットと前記保護枠カバーとの間に介在するように形成されることが好ましい。この構成によれば、鍋を誘導加熱する際にフェライトや加熱コイルが振動したとしても、フェライトユニットは、弾性材料で構成される保持部材を介して保護枠カバーや加熱コイルに接触することになる。これにより、衝突音やビビリ音などの異音の発生を抑えることができる。
【００２１】
また、前記保持部材は、前記加熱コイルに対向する面に凸部を備えることが好ましい。この構成によれば、凸部を加熱コイルに押し付けるように変形させながら保護枠カバーを保護枠に取り付けることで、加熱コイルやフェライトユニットをガタツキ無く固定することができる。これにより、加熱コイルとフェライトユニットとが振動することを抑えることができ、異音の発生を一層抑えることができる。
【００２２】
以下、本発明の実施形態について、図面を参照しながら説明する。なお、以下の実施形態によって本発明が限定されるものではない。
【００２３】
（第１実施形態）
図１を用いて、本発明の第１実施形態に係る炊飯器の構成について説明する。図１は、本発明の第１実施形態に係る炊飯器を一部断面で示す側面図である。本第１実施形態に係る炊飯器は、電磁誘導加熱によって炊飯調理を行うものである。
【００２４】
図１に示すように、本第１実施形態に係る炊飯器は、略有底筒状の炊飯器本体１と、炊飯器本体１の内部に収容され、米や水などの被炊飯物を収容する鍋２とを備えている。炊飯器本体１の上部には、炊飯器本体１及び鍋２の上部開口部を開閉可能に蓋本体１ａが取り付けられている。
【００２５】
炊飯器本体１の内部には、鍋２の収容部を形成する保護枠３が設けられている。保護枠３は、収容された鍋２の側面及び底面に対して一定の距離の隙間が空くように、鍋２の形状に沿って椀型に形成されている。
【００２６】
保護枠３の外側には、鍋２の外底部（側面と底面との間のコーナー部）に対向するように渦巻状に巻かれた底外加熱コイル５が配置されている。また、保護枠３の外側には、鍋２の底面に対向するように渦巻状に巻かれた底内加熱コイル４が配置されている。底内加熱コイル４と底外加熱コイル５とは、駆動回路（図示せず）に接続され、当該駆動回路から高周波電流が供給されることで磁界を発生する。鍋２は、底外加熱コイル５と底内加熱コイル４とから発生する磁界により、誘導加熱される。
【００２７】
炊飯器本体１の上方から底外加熱コイル５及び底内加熱コイル４を見たとき、底外加熱コイル５の中心部と底内加熱コイル４の中心部とは、一致又はほぼ一致するように配置されている。また、底外加熱コイル５は、底内加熱コイル４より外側で且つ上方に配置されている。
【００２８】
また、保護枠３には、第１のフェライト６と第２のフェライト７と保持部材８とで構成されるフェライトユニット９が取り付けられている。
【００２９】
図２Ａ〜図２Ｃは、フェライトユニット９の断面図である。図２Ｄは、フェライトユニット９の斜視図である。図２Ａ及び図２Ｄに示すように、第１のフェライト６と第２のフェライト７とは、保持部材８によって連結保持されている。保持部材８は、箱型又は略Ｕ字型の第１及び第２のフェライト保持部８ａ，８ｂを有し、第１のフェライト保持部８ａにより第１のフェライト６の一端部を保持し、第２のフェライト保持部８ｂにより第２のフェライト７の一端部を保持するように構成されている。また、保持部材８は、第１のフェライト保持部８ａと第２のフェライト保持部８ｂとの間にヒンジ部８ｃを備えている。本第１実施形態において、保持部材８と各フェライト６，７とは、各フェライト保持部８ａ，８ｂに各フェライト６，７を圧入するか、あるいは接着剤によって固定されている。
【００３０】
保持部材８は、底内加熱コイル４及び底外加熱コイル５の近傍に配置され、底内加熱コイル４及び底外加熱コイル５による鍋２の誘導加熱時に、例えば１００〜１５０℃の高温に曝される。このため、保持部材８は、耐熱性を有する樹脂材料、（例えば、シリコンゴム）で構成されるのが好ましい。なお、保持部材８の材料として、ＰＢＴ（ポリブチレンテレフタレート）やＰＰＳ（ポリフェニレンサルファイド）のような高耐熱樹脂材料を使用した場合、可とう性が小さく、当該材料を曲げることが困難である。このため、図２Ｂに示すように、第１のフェライト保持部８ａと第２のフェライト保持部８ｂとを別々の部品とし、それらをヒンジ部８ｃで連結することにより保持部材８を構成するようにしてもよい。この場合でも、同様の作用及び効果を得ることができる。また、第１のフェライト保持部８ａと第２のフェライト保持部８ｂとに比べてヒンジ部８ｃを薄肉に形成することにより、ヒンジ部８ｃの曲げ性を向上させるようにしてもよい。この場合でも、同様の作用及び効果を得ることができる。
【００３１】
本第１実施形態において、フェライトユニット９は、ヒンジ部８ｃで折れ曲がり、第１のフェライト６と第２のフェライト７との間の角度Ａを９０度から１８０度の間で自在に回動できるように構成されている。
【００３２】
また、本第１実施形態において、第２のフェライト７の一端部と隣接する第１のフェライト６の一端部には、面取り部６ａが設けられている。また、保持部材８のヒンジ部８ｃは、曲げ方向に対して外側に配置されている。この構成によれば、ヒンジ部８ｃで保持部材８を折り曲げた際に、第１のフェライト６と第２のフェライト７とが干渉することを回避することができる。その結果、第１のフェライト６の一端部と第２のフェライト７の一端部との距離を小さくすることができる。
【００３３】
また、本第１実施形態において、第１のフェライト６は底内加熱コイル４の外側に配置され、第２のフェライト７は底外加熱コイル５の外側に配置されている。この構成によれば、底内加熱コイル４及び底外加熱コイル５から炊飯器本体１の外側へ漏れる磁界を抑え、磁力線を鍋２側へ集中させることができる。
【００３４】
また、本第１実施形態において、フェライトユニット９は、底内加熱コイル４及び底外加熱コイル５を介して保護枠３に接着剤やビスなどの固定手段によって固定されている。なお、当該固定は、例えば、保護枠３の底面の鍋２の中心側に第１のフェライト６を固定した後、第２のフェライト７が保護枠３に接するようにヒンジ部８ｃを曲げ、その後、第２のフェライト７を保護枠３に固定することにより行われる。
【００３５】
次に、本第１実施形態に係る炊飯器のフェライトユニット９の作用及び効果について説明する。
【００３６】
まず、底内加熱コイル４と底外加熱コイル５とに、駆動回路から高周波電流が供給される。これにより、底内加熱コイル４と底外加熱コイル５とから磁界が発生する。この磁界によって鍋２が誘導加熱され、炊飯調理が行われる。このとき、底内加熱コイル４及び底外加熱コイル５に対向するように配置されたフェライトユニット９により、炊飯器本体１の外側に磁力線が漏れるのが抑えられ、加熱効率の低下を抑えることができる。
【００３７】
また、フェライトユニット９の第１のフェライト６には面取り部６ａが設けられているので、ヒンジ部８ｃで曲げた場合でも、第１のフェライト６と第２のフェライト７とが干渉することを回避することができる。その結果、第１のフェライトの一端部と第２のフェライトの一端部との距離を小さくすることができる。また、第２のフェライト７の一端部の端面と面取り部６ａとが対向するように配置されているので、磁力線の漏れを効果的に防ぐことが可能となり、加熱効率の低下を抑えることができる。
【００３８】
次に、炊飯容量が異なる複数の炊飯器に、同じフェライトユニット９を取り付ける動作について説明する。ここでは、１．０リットルの炊飯容量を有する鍋２（以下、１．０リットルの鍋２という）を備える炊飯器と、１．８リットルの炊飯容量を有する鍋２ａ（以下、１．８リットルの鍋２ａという）を備える炊飯器を例示して説明する。図１は、１．０リットルの鍋を備える炊飯器を示している。図３は、１．８リットルの鍋を備える炊飯器を示している。
【００３９】
１．０リットルの鍋２を備える炊飯器において、鍋２の底部の平面部の直径は、約１４７ｍｍである。これに対し、１．８リットルの鍋２ａを備える炊飯器において、鍋２ａの底部の平面部の直径は、約１６５ｍｍである。すなわち、１．０リットルの炊飯容量を有する炊飯器と１．８リットルの炊飯容量を有する炊飯器とでは、鍋の底部の平面部の直径が約１８ｍｍ異なる。このため、保護枠３と底内加熱コイル４と底外加熱コイル５とは、鍋の底部の平面部の直径に応じて決められた位置に配置される。これにより、誘導加熱による炊飯性能を満足するようにしている。
【００４０】
１．０リットルの鍋２を備える炊飯器にフェライトユニット９を取り付ける場合、まず、底内加熱コイル４に対向するように第１のフェライト６を固定する。次いで、図１に示すように、第２のフェライト７が底外加熱コイル５に対向するように、ヒンジ部８ｃを屈曲させる。このとき、ヒンジ部８ｃを屈曲させる角度Ａは、例えば、１２０度である。
【００４１】
一方、１．８リットルの鍋２ａを備える炊飯器にフェライトユニット９を取り付ける場合、まず、底内加熱コイル４ａに対向するように第１のフェライト６を固定する。なお、このとき、第１のフェライト６の位置は、１．０リットルの鍋２を備える炊飯器の場合に比べて、例えば、鍋２ａの中心軸２ｂから５ｍｍ離れて位置することになる。次いで、図３に示すように、第２のフェライト７が底外加熱コイル５ａに対向するように、ヒンジ部８ｃを屈曲させる。このとき、ヒンジ部８ｃを屈曲させる角度Ａ’は、例えば、１３５度である。
【００４２】
本第１実施形態に係る炊飯器によれば、ヒンジ部８ｃを屈曲させることにより第１及び第２のフェライト６，７の位置や角度を変更することができ、フェライト（フェライトユニット９）の汎用性を向上させることができる。
【００４３】
また、本第１実施形態に係る炊飯器によれば、図２Ｃに示すように、第１のフェライト６と第２のフェライト７とが同一平面上に位置するように配置することができるので、空隙無く梱包することが可能になり、部品として収納性に優れ、輸送コストを低減することもできる。
【００４４】
なお、本発明は前記実施形態に限定されるものではなく、その他種々の態様で実施できる。例えば、前記では、フェライトユニット９が２本のフェライトを備えるように構成したが、本発明はこれに限定されない。フェライトユニット９は、図４に示すように、３本以上のフェライトを備えるように構成してもよい。この場合、節となる保持部材８の数を増加させることで、短い棒状のフェライトを鍋２の外底部に沿うように取り付けることができる。これにより、良好な炊飯性能の確保と磁力線の漏れの低減を実現することができる。
【００４５】
また、前記では、箱型又は略Ｕ字型の第１のフェライト保持部８ａにより第１のフェライト６の一端部を保持し、箱型又は略Ｕ字型の第２のフェライト保持部８ｂにより第２のフェライト７の一端部を保持するように保持部材８を構成したが、本発明はこれに限定されない。例えば、図５に示すように、薄く柔軟性を有するフィルム１０で保持部材を構成してもよい。この場合、例えば、接着剤や両面テープなどによりフィルム１０を第１のフェライト６の一端部と第２のフェライト７の一端部とに貼り付けることによって、それらを連結保持することができる。また、この場合、フィルム１０の第１のフェライト６と第２のフェライト７との間に位置する部分がヒンジ部として機能し、容易に屈曲させることができる。
【００４６】
また、前記では、第１のフェライト６と第２のフェライト７の形状及び長さを異ならせたが、当該形状及び長さ同じにしてもよい。この場合、部品の共用化を図ることができ、加工や輸送でのコストを更に低減することができる。
【００４７】
（第２実施形態）
図６は、本発明の第２実施形態に係る炊飯器が備えるフェライトユニットの斜視図である。図７は、本発明の第２実施形態に係る炊飯器の一部断面図である。なお、本第２実施形態に係る炊飯器の基本構成は、前記第１実施形態に係る炊飯器と同様であるので、同様な部分の説明は省略し、相違点を中心に説明する。また、前記第１実施形態に係る炊飯器と同一の構成要素には、同じ符号を付してその説明を省略する。
【００４８】
図６に示すように、フェライトユニット９の保持部材８は、弾性材料（例えば、シリコンゴム）によって構成され、第１及び第２のフェライト６，７を覆うようにインサート成型されている。面取り部６ａを有する第１のフェライト６と第２のフェライト７との間には、ヒンジ部８ｃとして機能するくびれ（薄肉部）が設けられている。
【００４９】
図７に示すように、フェライトユニット９の外方（鍋２から離れる側）には、耐熱性を有する合成樹脂で形成した保護枠カバー１２が設けられている。保護枠カバー１２には、断面Ｕ字状の囲み形状部（図示せず）が設けられている。フェライトユニット９は、自身の弾性力を利用して、当該囲み形状部に圧入される。本第２実施形態において、保護枠カバー１２には、フェライトユニット９が囲み形状部に圧入されたときにフェライトユニット９に係合する爪部（図示せず）が設けられている。これにより、フェライトユニット９が保護枠カバー１２から外れることが防止されている。
【００５０】
保護枠カバー１２は、各加熱コイル４，５とフェライトユニット９とを介して保護枠３に取り付けられる。具体的には、保護枠カバー１２は、フェライトユニット９が圧入された後、底内加熱コイル４と底外加熱コイル５の外側から保護枠３に向けて押圧された状態で、当該保護枠３に取り付けられる。
【００５１】
このように保護枠カバー１２とフェライトユニット９とをあらかじめ一体にした状態で、当該保護枠カバー１２を保護枠３に取り付けることで、組立が容易となる。また、保護枠カバー１２にフェライトユニット９を圧入することで、フェライトユニット９の角度Ａが決定され、フェライトユニット９の形状が決められることになる。また、保護枠カバー１２を各加熱コイル４，５とフェライトユニット９とを介して保護枠３に取り付けることで、各加熱コイル４，５とフェライトユニット９とが保護枠３と保護枠カバー１２との間で挟持されることになる。これにより、各加熱コイル４，５とフェライトユニット９との位置関係を安定させて、炊飯器本体１の外側に磁力線が漏れるのを抑えることができる。その結果、炊飯性能を安定化することができる。
【００５２】
なお、炊飯容量が異なる複数の炊飯器においては、各炊飯器の制御方式や鍋の性質などに合わせるために、底外加熱コイル５の円弧状の断面形状や加熱コイルの厚みが異なる。そこで、本第２実施形態において、保持部材８には、図６及び図７に示すように、各加熱コイル４，５に対向する面に凸部８ｄが設けられている。凸部８ｄは、例えば、線状に形成されている。保護枠カバー１２は、凸部８ｄを各加熱コイル４，５に押し付けるように変形させながら、保護枠３に固定される。これにより、保持部材８と各加熱コイル４，５との隙間を無くして、フェライトユニット９をガタツキ無く固定することができる。その結果、炊飯性能を安定化することができる。
【００５３】
次に、本第２実施形態に係る炊飯器のフェライトユニット９の作用及び効果について説明する。
【００５４】
まず、底内加熱コイル４と底外加熱コイル５とに、駆動回路から高周波電流が供給される。これにより、各加熱コイル４，５から磁界が発生する。この磁界によって鍋２が誘導加熱され、炊飯調理が行われる。
【００５５】
また、このとき、第１及び第２のフェライト６，７と各加熱コイル４，５とは、前記発生した磁力によって振動する。ここで、本第２実施形態において、第１及び第２のフェライト６，７は、弾性材料で構成される保持部材８に覆われているので、保護枠カバー１２や各加熱コイル４，５に対して保持部材８を介して接触することになる。これにより、第１及び第２のフェライト６，７と各加熱コイル４，５とが振動したとしても、衝突音やビビリ音などの異音の発生を抑えることができる。
【００５６】
また、本第２実施形態において、保護枠カバー１２は凸部８ｄを各加熱コイル４，５に押し付けるように変形させながら保護枠３に固定されているので、第１及び第２のフェライト６，７及び各加熱コイル４，５をガタツキなく固定することができる。これにより、第１及び第２のフェライト６，７と各加熱コイル４，５とが振動することを抑えることができ、異音の発生を一層抑えることができる。
【００５７】
また、本第２実施形態において、第１及び第２のフェライト６，７は、弾性材料で構成される保持部材８に覆われているので、炊飯器に落下衝撃などが加わった場合であっても、当該衝撃により第１及び第２のフェライト６，７が割れて磁力線が漏れるようなことを抑えることができる。
【００５８】
また、本第２実施形態において、第１及び第２のフェライト６，７と各加熱コイル４，５とは、接着剤や固定テープなどを使用しないで取り付けることができるので、容易に分解することができ、リサイクル性を向上させることができる。
【００５９】
なお、本第２実施形態において、保持部材８は、第１及び第２のフェライト６，７を覆うようにインサート成型するものとしたが、本発明はこれに限定されない。例えば、別途成型した保持部材８の内部に第１及び第２のフェライト６，７を挿入して組み立てるようにしてもよい。この場合、第１及び第２のフェライト６，７から保持部材８を容易に取り外すことができ、分解性を向上させることができる。
【００６０】
また、本第２実施形態において、保護枠カバー１２は、炊飯器本体１に内蔵される部品として図示したが、本発明はこれに限定されない。例えば、保護枠カバー１２は、炊飯器本体１の外郭を成す部品として使用されても構わない。この場合、部品点数を削減することができ、安価な炊飯器を提供することができる。
【００６１】
なお、前記様々な実施形態のうち任意の実施形態を適宜組み合わせることにより、それぞれの有する効果を奏するようにすることができる。
【産業上の利用可能性】
【００６２】
本発明に係る炊飯器は、フェライトの汎用性を向上させることができるので、フェライトを備える炊飯器に有用である。
【符号の説明】
【００６３】
１    炊飯器本体
１ａ  蓋本体
２    鍋
２ａ  鍋
２ｂ  中心軸
３    保護枠
４    底内加熱コイル
４ａ  底内加熱コイル
５    底外加熱コイル
５ａ  底外加熱コイル
６    第１のフェライト
６ａ  面取り部
７    第２のフェライト
８    保持部材
８ａ  第１のフェライト保持部
８ｂ  第２のフェライト保持部
８ｃ  ヒンジ部
９    フェライトユニット
１０  フィルム
１１  接着剤
１２  保護枠カバー
【図１】
2014210167.tif 000003
【図２Ａ】
2014210167.tif 000004
【図２Ｂ】
2014210167.tif 000005
【図２Ｃ】
2014210167.tif 000006
【図２Ｄ】
2014210167.tif 000007
【図３】
2014210167.tif 000008
【図４】
2014210167.tif 000009
【図５】
2014210167.tif 000010
【図６】
2014210167.tif 000011
【図７】
2014210167.tif 000012